(57)【特許請求の範囲】
【請求項１】
診療記録情報を格納したサーバと通信する診療記録送信装置と、受診者の前記診療記録情報を前記診療記録送信装置から受信する診療記録受信装置とを備える診療記録管理システムであって、
前記診療記録送信装置は、
前記受診者を特定する受診者情報と、前記受診者情報に対応する前記診療記録情報を要求する要求情報とを前記診療記録受信装置から受信する受信装置側受信部と、
前記受診者情報を保存して管理する受診者情報管理部と、
前記要求情報に応じて、前記サーバに対して、前記受診者情報に対応する前記診療記録情報を要求する診療記録要求情報を送信するサーバ側送信部と、
前記診療記録要求情報に応じて前記サーバから送信される前記診療記録情報を受信するサーバ側受信部と、
前記サーバから受信した前記診療記録情報を前記診療記録受信装置に送信する受信装置側送信部と、
前記診療記録受信装置に送信した前記診療記録情報を管理する診療記録管理部と、
を備え、
前記診療記録受信装置は、
前記診療記録送信装置に、前記受診者情報及び前記要求情報を送信する送信部と、
前記診療記録送信装置から前記受診者に対応する前記診療記録情報を受信する受信部と、
前記受信部が受信した前記診療記録情報を、通信回線を介して受信してインストールされたソフトウェアによってデータベースに保存し、かつ管理する受信診療記録管理部と、
前記通信回線を介することなく、前記データベースから検索された前記診療記録情報を表示する表示部と、
を備え、
前記受信装置側受信部は、前記診療記録受信装置が記憶している前記診療記録情報の少なくとも一つである第１診療記録情報を受信し、
前記サーバ側受信部は、前記第１診療記録情報と同一の種別で、当該第１診療記録情報と異なる日時に前記サーバに格納された第２診療記録情報を前記サーバから受信し、
前記診療記録送信装置は、前記第２診療記録情報に含まれる画像情報を前記第１診療記録情報に含まれる画像情報に基づいて補正する補正部をさらに備え、
前記受信装置側送信部は、前記補正部により補正された前記第２診療記録情報を前記診療記録受信装置に送信する、診療記録管理システム。
【請求項２】
前記診療記録送信装置は、
前記診療記録受信装置からの要求に応じて、前記受信診療記録管理部が前記診療記録情報を管理するためのソフトウェアを前記診療記録受信装置に送信する、
請求項１に記載の診療記録管理システム。
【請求項３】
前記サーバ側受信部は、前記受診者の身体の画像を含む画像情報と、前記受診者の電子カルテの少なくとも一部を含むテキスト情報とを、前記診療記録情報として前記サーバから受信し、
前記受信装置側送信部は、前記画像情報と、前記テキスト情報のうちの前記画像情報に対応する部分のテキスト情報とを関連付けて、前記診療記録情報として前記診療記録受信装置に送信する、
請求項１又は２に記載の診療記録管理システム。
【請求項４】
前記診療記録送信装置は、
前記サーバ側受信部が前記サーバから受信した前記診療記録情報の種別を識別する識別部をさらに備え、
前記受信装置側送信部は、前記診療記録情報に関連付けて、前記識別部が識別した前記診療記録情報の種別を示す種別情報を前記診療記録受信装置に送信し、
前記診療記録受信装置においては、
前記表示部が、前記診療記録送信装置から受信した前記種別情報ごとに分類して前記診療記録情報を表示する、
請求項１から３のいずれか１項に記載の診療記録管理システム。
【請求項５】
前記サーバ側受信部は、距離情報を含む第１の画像情報と、前記第１の画像情報と同一の画像を含み、かつ、距離情報を含まない第２の画像情報とを、前記診療記録情報として前記サーバから受信し、
前記受信装置側送信部は、前記第１の画像情報及び前記第２の画像情報を関連付けて、前記診療記録情報として前記診療記録受信装置に送信する、
請求項１から４のいずれか１項に記載の診療記録管理システム。
【請求項６】
受診者の診療記録情報を表示する診療記録受信装置に、サーバから受信した診療記録情報を送信する診療記録送信装置であって、
前記受診者を特定する受診者情報と、前記受診者情報に対応する前記診療記録情報を要求する要求情報とを前記診療記録受信装置から受信する受信装置側受信部と、
前記受診者情報を保存して管理する受診者情報管理部と、
前記要求情報に応じて、前記サーバに対して、前記受診者情報に対応する前記診療記録情報を要求する診療記録要求情報を送信するサーバ側送信部と、
前記診療記録要求情報に応じて前記サーバから送信される前記診療記録情報を受信するサーバ側受信部と、
前記サーバから受信した前記診療記録情報を前記診療記録受信装置に送信する受信装置側送信部と、
前記診療記録受信装置に送信した前記診療記録情報を管理する診療記録管理部と、
を備え、
前記受信装置側受信部は、前記診療記録受信装置が記憶している前記診療記録情報の少なくとも一つである第１診療記録情報を受信し、
前記サーバ側受信部は、前記第１診療記録情報と同一の種別で、当該第１診療記録情報と異なる日時に前記サーバに格納された第２診療記録情報を前記サーバから受信し、
前記診療記録送信装置は、前記第２診療記録情報に含まれる画像情報を前記第１診療記録情報に含まれる画像情報に基づいて補正する補正部をさらに備え、
前記受信装置側送信部は、前記補正部により補正された前記第２診療記録情報を前記診療記録受信装置に送信する診療記録送信装置。
【請求項７】
受診者の診療記録情報を送信する請求項６に記載の診療記録送信装置から前記診療記録情報を受信する診療記録受信装置であって、
前記診療記録送信装置に、前記受診者を特定する受診者情報と、前記受診者情報に対応する前記診療記録情報を要求する要求情報とを送信する送信部と、
前記診療記録送信装置から前記受診者情報に対応する前記診療記録情報を受信する受信部と、
前記受信部が受信した前記診療記録情報を、通信回線を介して受信してインストールされたソフトウェアによってデータベースに保存し、かつ管理する受信診療記録管理部と、
前記通信回線を介することなく、前記データベースから検索された前記診療記録情報を表示する表示部と、
を備える診療記録受信装置。
【請求項８】
コンピュータに、受診者の診療記録情報を表示する診療記録受信装置に対して、サーバから受信した診療記録情報を送信させる診療記録送信用プログラムであって、
前記コンピュータに、
前記受診者を特定する受診者情報と、前記受診者情報に対応する前記診療記録情報を要求する要求情報とを前記診療記録受信装置から受信する段階と、
前記受診者情報を保存して管理する段階と、
前記要求情報に応じて、前記サーバに対して、前記受診者情報に対応する前記診療記録情報を要求する診療記録要求情報を送信する段階と、
前記診療記録要求情報に応じて前記サーバから送信される前記診療記録情報を受信する段階と、
前記サーバから受信した前記診療記録情報を前記診療記録受信装置に送信する段階と、
前記診療記録受信装置に送信した前記診療記録情報を管理する段階と、
前記診療記録受信装置が記憶している前記診療記録情報の少なくとも一つである第１診療記録情報を受信する段階と、
前記第１診療記録情報と同一の種別で、当該第１診療記録情報と異なる日時に前記サーバに格納された第２診療記録情報を前記サーバから受信する段階と、
前記第２診療記録情報に含まれる画像情報を前記第１診療記録情報に含まれる画像情報に基づいて補正する段階と、
前記補正する段階において補正された前記第２診療記録情報を前記診療記録受信装置に送信する段階と、
を実行させる診療記録送信用プログラム。
【請求項９】
コンピュータに、受診者の診療記録情報を送信する請求項６に記載の診療記録送信装置から前記診療記録情報を受信させる診療記録受信用プログラムであって、
前記コンピュータに、
前記診療記録送信装置に対して、前記受診者を特定する受診者情報と、前記受診者情報に対応する前記診療記録情報を要求する要求情報とを送信する段階と、
前記診療記録送信装置から前記受診者に対応する前記診療記録情報を受信する段階と、
前記受信する段階において受信した前記診療記録情報を、通信回線を介して受信してインストールされたソフトウェアによってデータベースに保存し、かつ管理する段階と、
前記通信回線を介することなく、前記データベースから検索された前記診療記録情報を表示する段階と、
を実行させる診療記録受信用プログラム。
【発明の詳細な説明】
【技術分野】
【０００１】
本発明は、診療記録管理システムに係り、さらに詳細には、医療機関の診療記録、特に、医療画像を受診者個人の診療記録受信装置に保存して照会することを可能にする診療記録管理システムに関する。
【背景技術】
【０００２】
従来、医療機関の診療記録（例えば診療記録画像）は、コンパクトディスク（以下、ＣＤ）のようなメディアに保存され、患者、受診者、通院者、検診者（以下、これらを「受診者」という）に提供されていた。そして、受診者は、医療機関ごとに受けた診療の記録が収められた複数のメディアを管理していた。
また、従来、インターネットを介して病院や受診者がアクセスできるサーバに受診者の診療記録情報を保存し、医師や受診者が当該サーバにアクセスして診療記録情報をダウンロードする方法も提案されている（例えば、特許文献１、２、３及び４を参照）。
【先行技術文献】
【特許文献】
【０００３】
【特許文献１】韓国特許１０−１１３５２２２号公報
【特許文献２】韓国特許公開１０−２０１２−００８４６４３号公報
【特許文献３】韓国特許公開１０−２０１１−００８４４２９号公報
【特許文献４】特開２０１２−１３３４８２号公報
【発明の概要】
【発明が解決しようとする課題】
【０００４】
しかし、診療記録情報がメディアに保存されている場合、受診者は、診療を受けるたびにメディアを受領して、それぞれを管理しなければならないという不都合が生じていた。メディアが例えばＣＤ（Ｃｏｍｐａｃｔ  Ｄｉｓｋ）の場合は、病院ごとにフォーマットが異なるＣＤが制作されるので、それぞれの病院に対応したビューア又はリーダが必要であった。したがって、ＣＤに収められている診療記録情報を開くためには、ＣＤ再生機能を具備したコンピュータ（ＰＣ）にＣＤを入れて再生しなければならないという不都合があった。また、診療記録情報が保存されたメディアを持ち歩くことが不便なだけでなく、複数のメディアに分散されて保存された複数の診療記録情報を同時に見ることができないという問題もあった。
【０００５】
診療記録情報が、インターネットを介して病院や受診者がアクセスできるサーバに保存されている場合、セキュリティ面の問題があった。また、インターネットを介してアクセスできるサーバは、医療関係者が使用することを想定して病院ごとに構築されている。したがって、受診者は、それぞれの病院が構築したサーバにアクセスしなければならなかった。複数の医療機関の診療記録情報を１つのサーバに集約することで、受診者は、１つのサーバにアクセスすれば、複数の医療機関で診療を受けた時の診療記録情報を参照できる。しかし、診療記録情報は機密性が高いので、複数の医療機関の診療記録情報を混在させて１つのサーバに保存することは困難であった。
【０００６】
そこで、本発明はこれらの点に鑑みてなされたものであり、受診者の診療記録受信装置（例えばモバイル機器）において、受診者が自身の診療記録情報を手軽に参照できるようにすることを目的とする。
【課題を解決するための手段】
【０００７】
本発明の第１の態様の診療記録管理システムは、診療記録情報を格納したサーバと通信する診療記録送信装置と、受診者の前記診療記録情報を前記診療記録送信装置から受信する診療記録受信装置とを備える診療記録管理システムであって、前記診療記録送信装置は、前記受診者を特定する受診者情報と、前記受診者情報に対応する前記診療記録情報を要求する要求情報とを前記診療記録受信装置から受信する受信装置側受信部と、前記受診者情報を保存して管理する受診者情報管理部と、前記要求情報に応じて、前記サーバに対して、前記受診者情報に対応する前記診療記録情報を要求する診療記録要求情報を送信するサーバ側送信部と、前記診療記録要求情報に応じて前記サーバから送信される前記診療記録情報を受信するサーバ側受信部と、前記サーバから受信した前記診療記録情報を前記診療記録受信装置に送信する受信装置側送信部と、前記診療記録受信装置に送信した前記診療記録情報を管理する診療記録管理部と、を備え、前記診療記録受信装置は、前記診療記録送信装置に、前記受診者情報及び前記要求情報を送信する送信部と、前記診療記録送信装置から前記受診者に対応する前記診療記録情報を受信する受信部と、前記受信部が受信した前記診療記録情報をデータベースで管理する受信診療記録管理部と、前記受信診療記録管理部で管理されている前記診療記録情報を表示する表示部と、を備える。
【０００８】
前記診療記録送信装置は、例えば、前記診療記録受信装置からの要求に応じて、前記受信診療記録管理部が前記診療記録情報を管理するためのソフトウェアを前記診療記録受信装置に送信する。前記サーバ側受信部は、前記受診者の身体の画像を含む画像情報と、前記受診者の電子カルテの少なくとも一部を含むテキスト情報とを、前記診療記録情報として前記サーバから受信し、前記受信装置側送信部は、前記画像情報と、前記テキスト情報のうちの前記画像情報に対応する部分のテキスト情報とを関連付けて、前記診療記録情報として前記診療記録受信装置に送信してもよい。
【０００９】
前記診療記録送信装置は、前記サーバ側受信部が前記サーバから受信した前記診療記録情報の種別を識別する識別部をさらに備え、前記受信装置側送信部は、前記診療記録情報に関連付けて、前記識別部が識別した前記診療記録情報の種別を示す種別情報を前記診療記録受信装置に送信し、前記診療記録受信装置においては、前記表示部が、前記診療記録送信装置から受信した前記種別情報ごとに分類して前記診療記録情報を表示してもよい。
【００１０】
前記受信装置側受信部は、前記診療記録受信装置が記憶している前記診療記録情報の少なくとも一つである第１診療記録情報を受信し、前記サーバ側受信部は、前記第１診療記録情報と同一の種別で、当該第１診療記録情報と異なる日時に前記サーバに格納された第２診療記録情報を前記サーバから受信し、前記診療記録送信装置は、前記第２診療記録情報に含まれる画像情報を前記第１診療記録情報に含まれる画像情報に基づいて補正する補正部をさらに備え、前記受信装置側送信部は、前記補正部により補正された前記第２診療記録情報を前記診療記録受信装置に送信してもよい。
【００１１】
前記サーバ側受信部は、距離情報を含む第１の画像情報と、前記第１の画像情報と同一の画像を含み、かつ、距離情報を含まない第２の画像情報とを、前記診療記録情報として前記サーバから受信し、前記受信装置側送信部は、前記第１の画像情報及び前記第２の画像情報を関連付けて、前記診療記録情報として前記診療記録受信装置に送信してもよい。
【００１２】
本発明の第２の態様の診療記録送信装置は、受診者の診療記録情報を表示する診療記録受信装置に、サーバから受信した診療記録情報を送信する診療記録送信装置であって、前記受診者を特定する受診者情報と、前記受診者情報に対応する前記診療記録情報を要求する要求情報とを前記診療記録受信装置から受信する受信装置側受信部と、前記受診者情報を保存して管理する受診者情報管理部と、前記要求情報に応じて、前記サーバに対して、前記受診者情報に対応する前記診療記録情報を要求する診療記録要求情報を送信するサーバ側送信部と、前記診療記録要求情報に応じて前記サーバから送信される前記診療記録情報を受信するサーバ側受信部と、前記サーバから受信した前記診療記録情報を前記診療記録受信装置に送信する受信装置側送信部と、前記診療記録受信装置に送信した前記診療記録情報を管理する診療記録管理部と、を備える。
【００１３】
本発明の第３の態様の診療記録受信装置は、受診者の診療記録情報を送信する診療記録送信装置から前記診療記録情報を受信する診療記録受信装置であって、前記診療記録送信装置に、前記受診者を特定する受診者情報と、前記受診者情報に対応する前記診療記録情報を要求する要求情報とを送信する送信部と、前記診療記録送信装置から前記受診者情報に対応する前記診療記録情報を受信する受信部と、前記受信部が受信した前記診療記録情報をデータベースで管理する受信診療記録管理部と、前記受信診療記録管理部で管理されている前記診療記録情報を表示する表示部と、を備える。
【００１４】
本発明の第４の態様の診療記録送信用プログラムは、コンピュータに、受診者の診療記録情報を表示する診療記録受信装置に対して、サーバから受信した診療記録情報を送信させる診療記録送信用プログラムであって、前記コンピュータに、前記受診者を特定する受診者情報と、前記受診者情報に対応する前記診療記録情報を要求する要求情報とを前記診療記録受信装置から受信する段階と、前記受信者登録情報を保存して管理する段階と、前記要求情報に応じて、前記サーバに対して、前記受診者情報に対応する前記診療記録情報を要求する診療記録要求情報を送信する段階と、前記診療記録要求情報に応じて前記サーバから送信される前記診療記録情報を受信する段階と、前記サーバから受信した前記診療記録情報を前記診療記録受信装置に送信する段階と、前記診療記録受信装置に送信した前記診療記録情報を管理する段階と、を実行させる。
【００１５】
本発明の第５の態様の診療記録受信用プログラムは、コンピュータに、受診者の診療記録情報を送信する診療記録送信装置から前記診療記録情報を受信させる診療記録受信用プログラムであって、前記コンピュータに、前記診療記録送信装置に対して、前記受診者を特定する受診者情報と、前記受診者情報に対応する前記診療記録情報を要求する要求情報とを送信する段階と、前記診療記録送信装置から前記受診者に対応する前記診療記録情報を受信する段階と、前記受信する段階において受信した前記診療記録情報をデータベースで管理する段階と、前記データベースで管理されている前記診療記録情報を表示する段階と、を実行させる。
【発明の効果】
【００１６】
本発明によれば、受診者の診療記録受信装置（例えばモバイル機器）において、受診者が自身の診療記録情報を手軽に参照できるようになるという効果を奏する。さらに、医療機関側では、インターネットを介して接続されたクラウドサーバに診療記録情報を保存することなく受診者が診療記録情報を参照できるようになるので、サーバ導入及び運営のコスト、専用線コスト、セキュリティ管理コストが不要になるという効果も奏する。また、受診者側では、受診者側の診療記録受信装置にさまざまな医療機関の診療記録情報を生涯にわたって保存及び管理することができ、診療記録情報を簡便に照会することができるので、診療サービスの質的向上を図ることができる。
【図面の簡単な説明】
【００１７】
【図１Ａ】第１の実施形態に係る診療記録管理システムの概略的なブロック図である。
【図１Ｂ】第１の実施形態に係る診療記録送信装置の概略的なブロック図である。
【図１Ｃ】第１の実施形態に係る診療記録受信装置の概略的なブロック図である。
【図１Ｄ】第１の実施形態に係る診療記録管理システムの動作を説明するための概略的なブロック図である。
【図２】受診者情報を診療記録送信装置に登録するための、診療記録受信装置における操作画面の一例を示す。
【図３】受診者情報を管理するための診療記録送信装置における操作画面の一例を示す。
【図４】診療記録送信装置における表示画面の一例を示す。
【図５】本実施形態の受診者の診療記録受信装置で診療記録情報を照会するための表示画面の一例を示す。
【図６】本発明の診療記録受信装置を用いた診療記録管理方法の手順を説明するためのフローチャートである。
【発明を実施するための形態】
【００１８】
＜第１の実施形態＞
図１Ａは、本実施形態に係る診療記録管理システム１の概略的なブロック図である。診療記録管理システム１は、病院及びクリニックなどの医療機関に設置され、診療記録情報を格納したサーバ２と通信する診療記録送信装置１０と、受診者の診療記録情報を診療記録送信装置１０から受信する診療記録受信装置２０とを備える。診療記録送信装置１０は、例えばコンピュータであり、医療機関内のローカルエリアネットワークを介して、医療機関内に設置されたサーバ２とデータを送受信することができる。診療記録受信装置２０は、例えば、タブレット端末、スマートフォン及び携帯端末であり、受診者が自由に持ち運ぶことができる。また、診療記録受信装置２０はＷｉ−Ｆｉのような無線通信手段を通じて診療記録送信装置１０とデータを送受信することができる。
【００１９】
診療記録情報は、医療機関で受診者が診療した内容を記録したテキストデータ、画像、動画及び音声等のデータである。テキストデータには、医療機関で使用する電子カルテの内容が含まれ、受診者の情報や検査内容、診療時の医師の所見（レポート）等が含まれる。
画像及び動画は、例えば各種レントゲン画像、ＣＴ画像、ＭＲＩ画像、超音波画像、及び内視鏡検査画像等の静止画及び動画を指す。診療記録情報は、例えば、医療機関で使用される各種画像保存通信システム（ＰＡＣＳ、Picture Archiving and Communication System）において保存、閲覧及び管理されるテキストデータ、画像及び動画等のデジタルデータである。画像及び動画のファイル形式は、例えばＤＩＣＯＭ（digital image communication in medicine）、ＰＤＦ、ＪＰＥＧ、ＴＩＦＦ、ＭＰＥＧ（moving picture expert group）等のファイル形式である。
【００２０】
診療記録送信装置１０には、診療記録ライタソフトウェア・プログラム（以下、ライタソフトウェア）がインストールされており、診療記録受信装置２０には、診療記録リーダソフトウェア・プログラム（以下、リーダソフトウェア）がインストールされている。ライタソフトウェアは、受診者の診療記録情報の管理のために、診療記録情報に含まれている文字、画像及び動画などのメディアデータをサーバ２から収集し、各種データに変換したり、診療記録送信装置１０に転送したり、受診者が検索して照会できる状態で管理したりするためのソフトウェアである。リーダソフトウェアは、診療記録受信装置２０が診療記録送信装置１０から受信した診療記録情報を開くためのソフトウェアである。リーダソフトウェアは、診療記録送信装置１０から受信した診療記録情報をデータベースに保存及び管理し、診療記録受信装置２０のユーザの操作に応じて診療記録情報を検索及び照会する役割を担う。
【００２１】
図１Ｂは、本実施形態に係る診療記録送信装置１０の概略的なブロック図である。診療記録送信装置１０は、制御部１１、記憶部１０１、受信装置側受信部１０２、サーバ側送信部１０３、サーバ側受信部１０４及び受信装置側送信部１０５を備える。
【００２２】
制御部１１は、診療記録送信装置１０のデータ送受信にかかる制御を行う。制御部１１は、例えばマイクロプロセッサから構成され、記憶部１０１に記憶されたプログラムを実行することにより、リーダソフトウェアインストール部１２（以下、リーダＳＷインストール部１２）、受診者情報管理部１４、診療記録管理部１６として機能する。
記憶部１０１は、メモリ又はハードディスクのような記憶媒体である。記憶部１０１は、診療記録送信装置１０を動作させるためのプログラム、受診者情報、診療記録情報、診療記録受信装置２０が用いるリーダソフトウェアなどを記憶する。受診者情報とは、氏名、識別番号等の受診者を特定するための情報である。
【００２３】
受信装置側受信部１０２は、受診者情報と、受診者情報に対応する診療記録情報を要求する要求情報とを診療記録受信装置２０から受信する。サーバ側送信部１０３は、サーバ２に対して、診療記録受信装置２０から受信した受診者情報に対応する診療記録情報を要求する診療記録要求情報を送信する。サーバ側受信部１０４は、診療記録要求情報に応じてサーバ２から送信される受診者情報に対応する診療記録情報を受信する。受信装置側送信部１０５は、サーバ２から受信した診療記録情報を診療記録受信装置２０に送信する。
【００２４】
リーダＳＷインストール部１２は、リーダソフトウェアを診療記録受信装置２０にインストールする機能を有する。具体的には、リーダＳＷインストール部１２は、診療記録受信装置２０からの要求に応じて、記憶部１０１に記憶されたリーダソフトウェアを診療記録受信装置２０に送信する。
【００２５】
受診者情報管理部１４は、診療記録受信装置２０から受信した受診者を特定する受診者情報を管理する。具体的には、受診者情報管理部１４は、受診者名に関連付けて、受診者を特定する識別コード又は認証パスワードを記憶部１０１に記憶させる。
【００２６】
診療記録管理部１６は、サーバ２から受信した診療記録情報を管理する。例えば、診療記録管理部１６は、サーバ２から受信した診療記録情報を記憶部１０１に一時的に記憶させるとともに、診療記録受信装置２０への送信が完了した診療記録情報に、送信が完了したことを示す情報を付与する。診療記録管理部１６は、例えば、診療記録情報を暗号化してから記憶部１０１に記憶させる。診療記録管理部１６は、診療記録情報を診療記録受信装置２０に送信してから、診療記録受信装置２０からの指示に基づいて定められた期間が経過した後に、送信が完了したことを示す情報が付与された診療記録情報を削除してもよい。
【００２７】
図１Ｃは、本実施形態に係る診療記録受信装置２０の概略的なブロック図である。診療記録受信装置２０は、制御部２１、入出力部２２、ストレージ部２４、送信部２６及び受信部２７を備える。
【００２８】
制御部２１は、診療記録受信装置２０のデータ送受信に係る制御を行う。制御部１１は、例えばマイクロプロセッサであり、ストレージ部２４に記憶されたプログラムを実行することにより、ソフトウェアダウンロード部２１１及び受信診療記録管理部２１２として機能する。
【００２９】
入出力部２２は、診療記録受信装置２０のユーザである受診者の操作を受けるタッチパネルのような入力部と、受診者に情報を表示する液晶ディスプレイのような表示部とを備える。
ストレージ部２４は、診療記録送信装置１０から受信した診療記録情報を保存するメモリ又はハードディスクのような記憶媒体である。ストレージ部２４は、さらに、病院名と、それぞれの病院に設置されている診療記録送信装置１０を特定するための情報（例えば、装置番号情報、ＩＰアドレス又はＵＲＬ）とを関連付けて記憶している。送信部２６は、診療記録送信装置１０に受診者情報及び要求情報を送信する。受信部２７は、診療記録送信装置１０から受診者情報に対応する診療記録情報を受信する。
【００３０】
ソフトウェアダウンロード部２１１は、診療記録受信装置２０にリーダソフトウェアがインストールされていない場合に、リーダＳＷインストール部１２に対してリーダソフトウェアのダウンロードを要求し、診療記録送信装置１０から受信したリーダソフトウェアをダウンロードする機能を有する。
【００３１】
受信診療記録管理部２１２は、診療記録送信装置１０から受信した診療記録情報を管理する。具体的には、受信診療記録管理部２１２は、診療記録送信装置１０から受信した診療記録情報をストレージ部２４に記憶させ、入出力部２２を介して取得した診療記録受信装置２０のユーザである受診者の操作に応じて、ストレージ部２４から診療記録情報を読み出して入出力部２２に表示する。
【００３２】
図１Ｄは、本実施形態に係る診療記録管理システム１の動作を説明するための概略的なブロック図である。診療記録送信装置１０には、ライタソフトウェアがインストールされている。受診者の診療記録受信装置２０には、リーダソフトウェアがインストールされている。受診者は、診療記録受信装置２０にインストールされたリーダソフトウェアを介して、受診者自身が診療記録情報を管理できる。受診者は、入出力部２２に表示されるリーダソフトウェアのダウンロード画面２３を用いて、診療記録送信装置１０からリーダソフトウェアをダウンロードすることができる。
【００３３】
診療記録受信装置２０のストレージ部２４には、受信診療記録管理部２１２によって管理される受信診療記録データベース２５が記憶されている。受診者は、受信診療記録データベース２５に保存された診療記録情報を検索及び照会し、入出力部２２に診療記録情報を表示させることができる。
【００３４】
以下、診療記録受信装置２０と診療記録送信装置１０との間の通信手順について説明する。診療記録受信装置２０にリーダソフトウェアがインストールされていない場合、入出力部２２を介して取得したユーザによる操作に応じて、リーダソフトウェアを要求する情報を、無線通信により診療記録送信装置１０に送信する（Ｓ１）。
【００３５】
診療記録送信装置１０のリーダＳＷインストール部１２は、診療記録受信装置２０に対してリーダソフトウェアを無線で送信する（Ｓ２）。診療記録受信装置２０は、受信したリーダソフトウェアをストレージ部２４に記憶させて、インストールする。診療記録受信装置２０は、初回だけリーダソフトウェアをインストールすればよく、その後、リーダソフトウェアは、無線通信で自動的に又は手動でアップデートされる。
【００３６】
続いて、受診者の診療記録受信装置２０で、診療記録送信装置１０から受診者の診療記録情報をダウンロードできるようにするために、診療記録受信装置２０は、受診者情報と受診者の診療記録受信装置２０を特定するための装置情報とを診療記録送信装置１０に送信する（Ｓ３）。装置情報は、例えば、診療記録受信装置２０のＩＰアドレス又はメールアドレスである。診療記録送信装置１０の受診者情報管理部１４は、受信した受診者情報と装置情報とを関連付けて記憶部１０１に記憶されている受診者情報データベース１５に登録する。受診者情報管理部１４は、受診者情報データベース１５への登録が完了したことを診療記録送信装置１０に送信する（Ｓ４）。
【００３７】
受診者情報及び装置情報が受診者情報データベース１５に登録されると、診療記録受信装置２０は、診療記録送信装置１０を介して診療記録情報を取得できる状態になる。この状態において、診療記録送信装置１０は、入出力部２２を介して受診者から診療記録情報を取得する旨の操作を受けると、診療記録送信装置１０に対して、診療記録情報を要求する要求情報を送信する（Ｓ５）。要求情報には、例えば、受診者情報と、受診者が取得を希望する診療記録情報の種別を特定するための診療記録種別特定情報とが含まれている。
【００３８】
診療記録送信装置１０の診療記録管理部１６は、要求情報に含まれている受診者情報が、受診者情報データベース１５に登録されているかどうかを認証し、受診者情報が受診者情報データベース１５に登録されている場合に、サーバ２に対して、受診者情報に対応する診療記録情報を要求する。診療記録管理部１６は、サーバ２から診療記録情報を取得すると、記憶部１０１に記憶された診療記録データベース１７に取得した診療記録情報を記憶させるとともに、当該診療記録情報を診療記録受信装置２０に送信する（Ｓ６）。診療記録送信装置１０は、受信した診療記録情報をストレージ部２４に記憶された受信診療記録データベース２５に保存するとともに、入出力部２２に表示する。
【００３９】
なお、診療記録送信装置１０がサーバ２から診療記録情報を受信する場合に、診療記録送信装置１０とサーバ２との間では、例えばＤＩＣＯＭの規格に基づく手順で診療記録情報を送受信する。診療記録送信装置１０は、サーバ２から受信した診療記録情報に、診療記録受信装置２０から要求された診療記録情報と異なる種別の診療記録情報が含まれている場合に、診療記録受信装置２０から要求された診療記録情報を抽出して診療記録受信装置２０に送信するとともに、その他の診療記録情報を消去してもよい。
【００４０】
以上のとおり、診療記録送信装置１０にインストールされたライタソフトウェアは、リーダソフトウェアを診療記録受信装置２０にインストールさせるための制御、受診者情報データベース１５を管理するための制御及び診療記録データベース１７を管理するための制御を行う。
【００４１】
図１Ｄを参照して、診療記録送信装置１０において実行される、診療記録情報を受診者の診療記録受信装置２０に送信する診療記録管理方法について総括すれば、次の通りである。診療記録管理方法は、診療記録送信装置１０と受診者の診療記録受信装置２０との通信によって、診療記録受信装置２０の装置情報を含んだ受診者情報を診療記録送信装置１０に登録し、受診者情報データベース１５に保存及び管理する段階と、診療記録送信装置１０が受診者の診療記録情報を収集又は変換し、受診者の診療記録受信装置２０に送信する段階と、診療記録受信装置２０に送信した診療記録情報を診療記録データベース１７に保存及び管理する段階と、を含む。
【００４２】
診療記録送信装置１０における上記の診療記録管理方法は、リーダソフトウェアが、受診者の診療記録受信装置２０にインストールされていない場合には、受診者の要求によって、診療記録送信装置１０から診療記録受信装置２０にリーダソフトウェアを送信し、診療記録受信装置２０にインストールさせる段階をさらに含む。
【００４３】
また、診療記録受信装置２０において実行される診療記録管理方法は、診療記録送信装置１０と受診者の診療記録受信装置２０との通信によって、診療記録送信装置１０に、診療記録受信装置２０の受診者登録要求を行い、医療機関の診療記録送信装置１０に、診療記録受信装置を特定する情報を含んだ受診者情報を登録可能にする段階と、医療機関に設置された診療記録送信装置１０から診療記録受信装置２０に送信された受診者の診療記録情報を受信し、受信診療記録データベース２５に保存及び管理する段階と、診療記録受信装置２０の受信診療記録データベース２５に保存された診療記録情報を検索及び照会し、受診者の診療記録受信装置２０にインストールされたリーダソフトウェアを介して、診療記録情報を管理する段階と、を含む。このような手順を実行することにより、診療記録受信装置２０にインストールされたリーダソフトウェアを介して、受診者自身が診療記録情報を管理できる。
【００４４】
診療記録受信装置２０における上記の診療記録管理方法は、リーダソフトウェアが、受診者の診療記録受信装置２０にインストールされていない場合には、診療記録送信装置１０にリーダソフトウェアを要求し、リーダソフトウェアを受信すると、診療記録受信装置２０にインストールする段階をさらに含む。
【００４５】
図６は、診療記録送信装置１０と診療記録受信装置２０とによって実行される診療記録管理方法の手順について説明するためのフローチャートである。
まず、診療記録受信装置２０は、リーダソフトウェアがインストールされているか否かを判断する（Ｓ１００）。診療記録受信装置２０は、リーダソフトウェアがインストールされていない場合は、診療記録送信装置１０からリーダソフトウェアをダウンロードしてインストールする（Ｓ１１０）。具体的には、診療記録受信装置２０は、受診者の操作に応じて、又は、読み取ったバーコード又はＱ／Ｒコードに応じて、診療記録送信装置１０又は指定されたアプリケーションサーバにインターネットなどのネットワークを介して接続することにより、リーダソフトウェアが自動的に又は手動でダウンロードされる。
【００４６】
続いて、診療記録受信装置２０は、診療記録送信装置１０に受診者情報の登録を要求する（Ｓ１２０）。図２は、受診者情報を診療記録送信装置１０に登録するための、診療記録受信装置２０における操作画面の一例を示す。図２を参照して、登録要求処理について説明する。
【００４７】
受診者が、診療記録受信装置２０において、受診者情報と装置情報との登録を依頼する操作をすると、診療記録受信装置２０の入出力部２２に、病院リスト８０が表示される。病院リスト８０は、病院名８２、登録日８４及びサーバ情報８６を含んでいる。受診者が病院名８２を選択してから選択ボタン８８を押すと、病院名８２が装置登録画面９０に転記される。受診者が、装置登録画面９０で病院名８２を確認するとともに、受診者の診療記録受信装置２０の電話番号４４、装置番号４２、受診者ＩＤ４６、受診者氏名４８及び電子メール４９を入力した後に、登録依頼ボタン９２を押すと、診療記録受信装置２０は、受診者情報及び装置情報の登録を要求する登録要求情報を、病院名８２に対応する診療記録送信装置１０に送信する。
【００４８】
図６を再び参照すると、Ｓ１２０において登録が要求されると、受診者情報及び装置情報が、受信者によって選択された病院に設置されている診療記録送信装置１０の受診者情報データベース１５に登録される（Ｓ１３０）。受診者情報及び受診者の診療記録受信装置２０の装置情報は、受診者情報データベース１５において保存及び管理される（Ｓ１４０）。
【００４９】
図３は、受診者情報を管理するための診療記録送信装置１０における操作画面の一例を示す。図３に図示されているように、診療記録送信装置１０は、ライタソフトウェアを動作させ、受診者情報データベース１５から、診療記録受信装置２０において入力された受診者情報及び装置情報を含んだ受診者リストを、受診者リスト画面４０に呼び出すことができる。受診者リスト画面４０は、受診者の装置番号４２、電話番号４４、受診者ＩＤ４６、受診者氏名４８及び登録状態５０を含んでいる。
【００５０】
装置番号４２の欄には、例えば「Ｆｆｆｆ−ｆｆｆｆ−ｆｆｆｆ０Ｘ」のように表示されるが、それに限定されるものではない。電話番号４４の欄には、「０１０−ｘｘｘｘ−ｘｘｘｘ」のように表示される。受診者ＩＤ４６の欄には、受診者が診療記録受信装置２０において入力した受診者ＩＤ４６に対応する情報「００００２２２２」が表示される。受診者氏名４８の欄には、受診者の実名が「山田太郎」のように表示される。状態５０の欄には、受診者情報登録が完了した状態であるか、登録を依頼中の状態であるか、登録が解除された状態であるか、といった現在の登録／解除状態５１が表示される。
【００５１】
受診者リスト画面４０で、受診者を選択した状態で編集ボタン５２が押されると、選択された受診者に関する情報が、受診者情報編集画面６０に転記される。受診者情報編集画面６０において、診療記録送信装置１０のユーザは、装置番号４２の欄で「Ｆｆｆｆ−ｆｆｆｆ−ｆｆｆｆ０２」を確認し、電話番号４４の欄で、電話番号である「０１０−２２２２−２２２２」を確認することができる。また、当該ユーザは、入力ボタン６２を押して、受診者ＩＤ４６の欄に受診者ＩＤを入力したり、照会ボタン６４を押して受診者ＩＤを照会したりすることができる。
【００５２】
また、当該ユーザは、受診者氏名４８の欄に受診者氏名を入力し、状態５０の欄で登録／解除状態５１を確認した後に、保存ボタン６６を押して保存したり、削除ボタン６８を押して削除したりすることができる。診療記録送信装置１０は、入力された受診者情報、受診者ＩＤ又は受診者氏名が、正しく入力されているか否かを判定する。例えば、受診者ＩＤが、病院で使用する受診者ＩＤの形式と異なっていたり、サーバ２に登録されている受診者ＩＤと一致していなかったりする場合には、エラー表示をする。
【００５３】
続いて、Ｓ１３０で、受診者情報及び装置情報が登録されると、受診者の診療記録情報を要求する要求情報に応じて、診療記録送信装置１０から診療記録受信装置２０に、該当する受診者の診療記録情報を送信する（Ｓ１５０）。診療記録送信装置１０では、前述のように、受診者の診療記録情報である文字、画像及び動画などのデータをサーバ２から取得する。取得したデータが、診療記録受信装置２０に送信できるファイル形式の条件に適していない場合は、ＤＩＣＯＭ、ＰＤＦ、ＪＰＧ、ＴＩＦＦ、ＭＰＥＧなどのグラフィックデータに変換した後に、診療記録受信装置２０に送信する。
【００５４】
図４は、診療記録送信装置１０における表示画面の一例を示す。受診者は、診療記録送信装置１０における操作によって、診療記録受信装置２０に診療記録情報を送信することもできる。受診者が入力欄７４に受診者のＩＤ又は氏名を入力してから検索ボタン７２を押すと、入力されたＩＤ又は氏名に対応する情報が検索される。検索後に受診者が送信ボタン７６を押すと、検索された受診者の診療記録受信装置２０の装置情報が受診者情報データベース１５に登録されている場合には、検索された受診者の診療記録情報が受診者の診療記録受信装置２０に送信される。検索された受診者の診療記録受信装置２０の装置情報が受診者情報データベース１５に登録されていない場合には、登録されていない受診者を表示する画面７７が表示され、登録手続を行うように誘導する。
【００５５】
続いて、Ｓ１５０で受診者の診療記録情報が送信された後、診療記録管理部１６は、診療記録データベース１７に記憶されている診療記録情報に、当該診療記録情報を送信したことを示す情報を付して、診療記録データベース１７を更新する（Ｓ１６０）。このようにすることで、診療記録送信装置１０は、同一の診療情報を複数回送信することを防止できる。
【００５６】
続いて、受診者の診療記録受信装置２０は、診療記録送信装置１０が送信した診療記録情報を受信し（Ｓ１７０）、受信診療記録管理部２１２は、受信した診療記録情報を、受信診療記録データベース２５に保存して管理する（Ｓ１８０）。その後、診療記録受信装置２０において、受診者は、診療記録送信装置１０から受信した診療記録情報を検索及び照会することができる（Ｓ１９０）。
【００５７】
図５は、本実施形態の受診者の診療記録受信装置２０で診療記録情報を照会するための表示画面の一例を示す。診療記録リスト画面１００には、病院名／検査名、検査日／モダリティ名（医療画像機器名）及び画像数が表示され、診療記録リスト画面１００に表示された項目１１０及び項目１２０のうちの１つが選択されると、当該診療記録情報が表示される。
【００５８】
以上のとおり、診療記録管理システム１においては、診療記録送信装置１０が、診療記録受信装置２０のユーザである受診者の診療記録情報を診療記録受信装置２０に送信する。そして、診療記録受信装置２０は、受診した診療記録情報を受信診療記録データベース２５に保存する。したがって、受診者は、自分自身の診療記録情報をいつでも参照することができるという効果を奏する。
【００５９】
［画像と電子カルテのテキストとを関連付けて送受信する］
診療記録送信装置１０において、サーバ側受信部１０４は、単一の種類の診療画像を診療記録情報としてサーバ２から受信するだけでなく、受診者の身体の画像を含む画像情報と、受診者の電子カルテの少なくとも一部を含むテキスト情報とを、診療記録情報としてサーバ２から受信してもよい。さらに、受信装置側送信部１０５は、画像情報と、テキスト情報のうちの画像情報に対応する部分のテキスト情報とを関連付けて、診療記録情報として診療記録受信装置２０に送信してもよい。
【００６０】
例えば、受診者が脳外科で頭部のＭＲＩ画像診断検査及び医師の診察を受けたとき、サーバ側受信部１０４は、受診者の診療記録受信装置２０から受信した要求情報に応じて、要求情報に含まれている検査日時及び検査種別に対応する診療記録画像情報と、当該検査日時に医師が記載した電子カルテのテキスト情報とを受信する。制御部１１は、受診した電子カルテのテキスト情報から、受診した診療記録画像情報に関連するテキスト情報を抽出してもよい。例えば、制御部１１が、電子カルテのテキスト情報から所定の長さのテキストを抽出する抽出部を備え、抽出部は、診療記録画像情報がＭＲＩ画像である場合、電子カルテのテキスト情報から「ＭＲＩ」という単語を検索し、「ＭＲＩ」という単語の周辺の所定の長さのテキストデータを抽出する。
【００６１】
受信装置側送信部１０５は、診療記録画像情報と、電子カルテのテキスト情報とを関連付けて、診療記録受信装置２０に送信する。受信装置側送信部１０５は、診療記録画像情報と、制御部１１により抽出された電子カルテのテキスト情報の一部とを送信してもよい。
【００６２】
診療記録受信装置２０においては、診療記録画像情報と、電子カルテのテキスト情報とを受信すると、診療記録画像情報とテキスト情報とを関連付けて入出力部２２に表示する。例えば、入出力部２２は、診療記録画像情報とテキスト情報とを結合し、画像の一部の領域にテキスト情報を重ねて表示する。
【００６３】
以上のとおり、診療記録管理システム１においては、診療記録送信装置１０が診療記録画像情報と、医師の所見（レポート）等必要なテキスト情報とを関連付けて診療記録受信装置２０に送信し、診療記録受信装置２０において、診療記録画像とテキストとを同時に表示することで、受診者は、診療記録画像と医師の診断内容とを同時に確認することができる。このように、診療記録受信装置２０において診療記録画像と医師の診断内容とを同時に確認できることにより、転医をしたりセカンドオピニオンを求めたりする場合に、病状経過を説明することが容易になるという効果を奏する。
【００６４】
［カテゴリごとに表示させる］
診療記録送信装置１０は、サーバ側受信部１０４がサーバ２から受信した診療記録情報の種別を識別する識別部をさらに備えてもよい。具体的には、サーバ２から受信する診療記録情報は、「内科」や「耳鼻咽喉科」といった診療科目、又は、「超音波画像」、「ＭＲＩ画像」、「マンモグラフィ画像」、「内視鏡検査画像」といった、検査方法の種類等を種別情報として含んでおり、識別部は、受信した診療記録情報が含む情報に基づいて種別情報を識別する。診療記録情報がＤＩＣＯＭ画像である場合には、ＤＩＣＯＭ画像のヘッダ部に含まれているメタ情報に基づいて、診療記録情報の種別を識別する。
【００６５】
診療記録情報がＤＩＣＯＭ画像でない場合、識別部は、予め診療記録情報の種別に関連づけて記憶部１０１に記憶された標準画像と診療記録画像との相関度を算出し、相関度に基づいて種別を識別してもよい。例えば、識別部は、診療記録画像の中央にＭＲＩ画像における脳の形状と同様な形状の画像が含まれている場合に、診療記録画像が「脳外科」に分類される診療記録情報であると識別する。
【００６６】
受信装置側送信部１０５は、診療記録情報に関連付けて、識別部が識別した診療記録情報の種別を示す種別情報を診療記録受信装置２０に送信する。診療記録受信装置２０においては、入出力部２２が、診療記録送信装置１０から受信した種別情報ごとに分類して診療記録情報を表示する。例えば、入出力部２２は、種別情報が「脳外科」に分類される診療記録情報を抽出し、時系列に並べて表示する。
【００６７】
以上のように、診療記録送信装置１０が診療記録情報の種別を識別し、診療記録受信装置２０が、診療記録情報の種別ごとに表示させることによって、同時に複数の診療科目を受診している受診者であっても、特定の病状に関する経過検討に必要な情報だけをわかりやすく表示させることができる。
【００６８】
［基準となる画像と同一サイズに画像を補正する］
受診者が病変部分の比較検討をしたい場合に、診療記録情報の画像データの縮尺やファイルサイズが異なると、正確な病変部分の比較検討が難しい。そこで、診療記録送信装置１０は、診療記録送信装置１０において受診者が複数の診療記録情報を比較しやすいように診療記録情報を加工してから診療記録受信装置２０に送信してもよい。
【００６９】
具体的には、診療記録受信装置２０は、受診者の操作に応じて、受診者が選択した診療記録情報を診療記録送信装置１０に送信する。診療記録送信装置１０の受信装置側受信部１０２は、診療記録受信装置２０が記憶している診療記録情報のうち少なくとも一つである第１診療記録情報を受信する。ここで、第１診療記録情報は、過去に診療記録受信装置２０が取得してストレージ部２４に記憶されている診療記録情報である。
【００７０】
次に、診療記録送信装置１０は、サーバ側送信部１０３を介して、第１診療記録情報と同一の種別で、当該第１診療記録情報と異なる日時にサーバに格納された第２診療記録情報をサーバ２に要求する。続いて、サーバ側受信部１０４は、第１診療記録情報と同一の種別で、当該第１診療記録情報と異なる日時にサーバ２に格納された第２診療記録情報をサーバ２から受信する。
【００７１】
例えば、受信装置側受信部１０２は、受診者からの診療記録情報を要求する要求情報とともに、第１診療記録情報の画像情報を受信する。サーバ側受信部１０４は、第１診療記録情報に付帯した情報に基づいて、第１診療記録情報と同一の種別で、当該第１診療記録情報とは別の日時にサーバ上のデータベースに登録された第２診療記録情報をサーバ２に要求して、サーバ２から第２診療記録情報を受信する。
【００７２】
診療記録送信装置１０は、第２診療記録情報に含まれる画像情報を第１診療記録情報に含まれる画像情報に基づいて補正する補正部をさらに備える。補正部は、サーバ側受信部１０４が受信した第２診療記録情報に含まれる画像情報を、第１診療記録情報に含まれる画像のサイズやファイル形式を基準として補正する。例えば、補正部は、第１診療記録情報に含まれる特徴部分（例えば、脳の部分）のサイズを抽出し、第２診療記録情報に含まれる特徴部分のサイズが、第１診療記録情報に含まれる特徴部分のサイズと同一のサイズになるように、第２診療記録情報の画像を拡大又は縮小する。補正部は、第１診療記録情報がＪＰＥＧ形式で、第２診療記録情報がビットマップ形式である場合に、第２診療記録情報をＪＰＥＧ形式に補正してもよい。受信装置側送信部１０５は、補正部により補正された第２診療記録情報を診療記録受信装置２０に送信する。
【００７３】
以上のとおり、診療記録管理システム１においては、補正部が、サーバ２から受信した診療記録情報に含まれる画像を補正することができるので、過去に別の病院で撮影された診療画像と、新たに撮影された診療画像との形式やサイズを同一にすることができる。したがって、診療記録受信装置２０において、過去の診療画像における病変部位と現在の診療画像における病変部位を比較検討することが容易になるという効果を奏する。
【００７４】
[ＤＩＣＯＭ画像とそれ以外の画像との関連付け]
診療記録情報に含まれる画像情報がＤＩＣＯＭ画像等の距離情報を含む画像情報である場合、診療記録受信装置２０において、病変部位のサイズを容易に測定できる。しかし、画像情報がＤＩＣＯＭ画像のように距離情報を含む画像情報でない場合、病変部位のサイズを容易に測定することができない。
【００７５】
例えば、診療記録情報として、ＪＰＥＧ形式のＤＩＣＯＭ画像とＭＰＥＧ形式の動画が含まれている場合、サーバ側受信部１０４は、距離情報を含む第１画像情報としてのＪＰＥＧ画像と、第１画像情報と同一の画像を含み、かつ、距離情報を含まない第２画像情報としてのＭＰＥＧ画像とを、診療記録情報としてサーバ２から受信する。
【００７６】
受信装置側送信部１０５は、第１画像情報と、長さを示す情報を付した第２画像情報とを関連付けて、診療記録情報として診療記録受信装置２０に送信する。このようにすることで、診療記録受信装置２０は、例えばＤＩＣＯＭ形式の画像情報と、関連するＭＰＥＧ形式の映像情報とを同時に表示することができるので、受診者は、静止画と動画とを同時に見ることができる。
【００７７】
制御部１１は、第１画像情報に含まれている距離情報に基づいて、第２画像情報に距離情報を付してもよい。例えば、制御部１１は、第１画像情報であるＤＩＣＯＭ形式の画像において、病変部分等の特徴的な部分の長さを示す２地点を選択して２地点間の距離を計測する。続いて、制御部１１は、第１画像情報で計測した距離情報を第２画像情報に付加して、病変部分等の特徴的な部分のサイズ情報を含む第２画像情報を作成する。診療記録受信装置２０は、第２画像情報に付されたサイズ情報を画像に重ねて表示する。このようにすることによって、距離情報を含まない第２画像情報であっても、診療記録受信装置２０には第２画像情報の画像に表示される特徴的な部分のサイズが表され、病変部分のサイズの計測を行うことができる。なお、診療記録送信装置１０又は診療記録受信装置２０は、特徴的な部分のサイズに基づいて別の部位のサイズを算出し、入出力部２２は、算出したサイズを表示してもよい。
【００７８】
[本実施形態における効果]
以上説明したように、本実施形態による診療記録管理システム１によれば、受診者が、自分自身の診療記録情報を自身のモバイル機器に手軽に収めることができる。個人が自身の診療記録情報を管理するので、セキュリティ上の問題も生じない。さらに、医療機関の負担になるクラウドサーバの運営にかかる莫大なコストの問題、病院内のサーバとクラウドサーバとの高速通信に要するコストの問題及びセキュリティ問題などを解消することができる。
【００７９】
また、病院ごとに受診者の診療記録情報をＣＤで提供するためのコスト、診療記録情報を長期間保存して管理するために必要なコストも大幅に節減することができる。また、従来は、医療機関ごとに画像フォーマット、メディア方式、通信方式が異なっていたので、診療記録情報を照会できない場合があったが、本実施形態による診療記録管理システム１においては、診療記録受信装置２０において個人の診療記録情報が一元管理されるので容易に診療記録情報を照会することができ、他の医療機関で過去の診療記録情報を参照して診療を行うことも可能になり、診療の質的向上を図ることができる。
【００８０】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００８１】
例えば、診療記録受信装置２０をＴＶやＰＣモニタと接続することにより、大型画面で診療記録情報を照会してもよい。また、必要に応じて診療記録受信装置２０に保存された診療記録情報を診療記録送信装置１０に送信してもよい。
【符号の説明】
【００８２】
１  診療記録管理システム
２  サーバ
１０  診療記録送信装置
１１  制御部
１４  受診者情報管理部
１５  受診者情報データベース
１６  診療記録管理部
１７  診療記録データベース
２０  診療記録受信装置
２１  制御部
２２  入出力部
２４  ストレージ部
２５  受信診療記録データベース
２６  送信部
２７  受信部
【要約】      （修正有）【課題】診療記録の個人管理を可能にする。【解決手段】診療記録情報を格納したサーバと通信する診療記録送信装置１０と、受診者の診療記録情報を診療記録送信装置１０から受信する診療記録受信装置２０とを備える診療記録管理システム１であって、診療記録送信装置１０は、受診者情報と診療記録情報を要求する要求情報とを診療記録受信装置２０から受信する受信装置側受信部と、受診者情報を保存して管理する受診者情報管理部１４と、サーバに対して、受診者情報に対応する診療記録情報を要求する診療記録要求情報を送信するサーバ側送信部と、診療記録要求情報に応じてサーバから送信される受診者情報に対応する診療記録情報を受信するサーバ側受信部と、サーバから受信した診療記録情報を診療記録受信装置２０に送信する受信装置側送信部と、診療記録受信装置２０に送信した診療記録情報を管理する診療記録管理部１６とを備える。【選択図】図１Ｄ【図１Ａ】
0005393905.tif 000002
【図１Ｂ】
0005393905.tif 000003
【図１Ｃ】
0005393905.tif 000004
【図１Ｄ】
0005393905.tif 000005
【図２】
0005393905.tif 000006
【図３】
0005393905.tif 000007
【図４】
0005393905.tif 000008
【図６】
0005393905.tif 000009
【図５】
0005393905.tif 000010